(57)【要約】【課題】    拡張型心筋症を心臓移植、一部切除による手術等の従来の手段と異なり、低体温麻酔をほどこし、心停止を図った上、心臓にメスを入れる必要がなく、治療しうるようにし、同疾患に併発しやすい脳梗塞等に対処する。  【解決手段】    拡張した心臓に対して、その周囲にかぶせるための、伸展性は小さいが、柔軟性のある、上部が開いた、低伸展性外部被覆嚢を設け、その上端に該外部被覆嚢を閉じるための多数の上口閉鎖紐の各一端を取り付け、該外部被覆嚢の内部に、上部が外部被覆嚢の内面に取り付けられ、外部被覆嚢との間に気密空洞を形成する可撓性内部被覆嚢を設け、両被覆嚢間に生じた空洞内に流体を出し入れするポンプを設けて成る心臓疾患治療システムを用いて地療し、併発した重症脳梗塞等に対して、本人の記憶内容を最大限、予め入力した電子脳、その他の電子装置等を用いて地療、人脳機能代替等を実行する。【選択図】    図１
2005087597.tif 000002
【特許請求の範囲】
【請求項１】
拡張した心臓の周囲にかぶせるための、伸展性は小さいが、柔軟性のある、上部が開いた、低伸展性外部被覆嚢を設け、その上端に該外部被覆嚢を閉じるための多数の上口閉鎖紐の各一端を取り付け、該外部被覆嚢の内部に、上部が外部被覆嚢の内面に取り付けられ、外部被覆嚢との間に気密空洞を形成する可撓性内部被覆嚢を設け、両被覆嚢間に生じた空洞内に流体を出し入れするポンプを設けて成る心臓疾患治療システム。
【請求項２】
２枚の布等から成るシートを一部を残し、心臓・血管等を収めうる嚢状に縫い合わせて成る、請求項１に記載の心臓疾患治療システム。
【請求項３】
請求項１に記載のシステムを用いた際に生じる梗塞を起こした脳や心筋に電気刺激を加えるための、金属ベルト・絶縁体ベルト・金属ベルト・絶縁体ベルトの４層を重ねて巻き上げた一体化物の一面に、光伝導体層を形成させ、両金属ベルトを直流電源の正・負電極につなぎ、光伝導体層にレーザー光パルスを照射する装置を設けて成る心臓疾患併発症地療用電磁波発生装置を用いた請求項１に記載の心臓疾患治療システム。
【請求項４】
人脳の構造や機能をモデルにしたＬＳＩ製の電子脳に、それと一体化すべき個人脳の持つ知識や機能を、電子脳のメイン入・出力端子を経て、生前に最大量、入力しておき、個人脳が発生する意志情報や、感情情報等の単純な情報インパルス（脳波）を、脳波計・脳磁波計・ＰＥＴ  ・ＭＲＩ・筋電計等の脳関係インパルス検出装置を経て、電子脳に入力する回路を設け、電子脳からの感覚情報・意志情報・運動情報等の単純な情報インパルスを人脳に伝えるための感覚刺激装置・磁波刺激装置・重力波刺激装置等を設けて成る、請求項１を用いた際に生じる脳梗塞を起こした個人脳と電子脳を連結一体化するシステムを用いた請求項１に記載の心臓疾患治療システム。
【請求項５】
請求項１に記載のシステムを用いて脳梗塞を起こし、痴呆化し、徘徊者となった人に取り付ける本体中、または、本体と電波で交信しうる管理制御装置中のコンピューターに、安全行動範囲を入力し、本体周囲に、耳の前後査右等に不快音や皮膚への電気刺激を与えるスピーカーや、電極を設け、本体中には、自動現在位置判定装置を設け、許容範囲外に出かかると、境界線に近い側のスピーカーから不快音が出たり、皮膚電極に通電したりする回路を設けて成る、心臓疾患併発症の治療・リハビリテーションの際に用いる許容範囲外移動防止装置を用いた請求項１に記載の心臓疾患治療システム。
【請求項６】
ポリ袋中に水を入れた密封部分を設け、その下方に水量に適した量の石膏・セメントと砂の混合物等を密封した部分を設け、両部分の境界部分に、袋を構成する表裏のポリフィルムの接合を分離させるための、指かけ突起を設けて成る、請求項３及び４のシステムを用いる際に使用する頭部の型取り装置を用いた請求項１に記載の心臓疾患治療システム。
【請求項７】
多数の鋼板間に気体を多量に含む格子状または点状接着剤層を介在させた、請求項４に記載の電子脳と個人脳とを連結一体化するシステムの電磁気遮蔽材料を用いた請求項１に記載の心臓疾患治療システム。
【請求項８】
平面または二次曲面の高比充金属層から成る重力波発生層を設け、その裏面に圧電体層を付着させ、その裏面に高比重材料の大重量の重量体を付着させ、該重力波発生層と、重量体間に高周波電圧を印加する装置を設けて成る、請求項４に記載の電子脳と個人脳とを連結一体化するシステムに用いる重力波発生装置を用いた請求項１に記載の心臓疾患治療システム。
【発明の詳細な説明】
【技術分野】
【０００１】
本発明は、心臓疾患治療システムに関するものである。
【背景技術】
【０００２】
従来、拡張型心筋症に対して、低体温全身麻酔をほどこした上、心臓を停止させて実施する他人の心臓を移植する人工心臓移植術、心室の部分切除術、機械である人工心臓の移植等が行なわれている。
【発明の開示】
【発明が解決しようとする課題】
【０００３】
心臓疾患のうちで比較的多い拡張型心筋症による心臓拡張に対して、他人の心臓を移色するための心臓は、なかなか見つけられず、実行する際には、多額の費用を要する。
心室の部分切除も、心蔵自体に対する信州が大きい。
人工心臓の移植も、内部への血栓形成や、その離脱による脳栓塞・脳梗塞を併発する危険性が大きく長期間の生命維持が困難である。
本発明は、それらの問題を解決しようとするものである。
【課題を解決するための手段】
【０００４】
拡張した心臓に対して、その周囲にかぶせるための、伸展性は小さいが、柔軟性のある、上部が開いた、低伸展性外部被覆嚢を設け、その上端に該外部被覆嚢を閉じるための多数の上口閉鎖紐の各一端を取り付け、該外部被覆嚢の内部に、上部が外部被覆嚢の内面に取り付けられ、外部被覆嚢との間に気密空洞を形成する可撓性内部被覆嚢を設け、両被覆嚢間に生じた空洞内に流体を出し入れするポンプを設けて成る心臓疾患治療システムを用いて地療し、併発した軽症・重症の脳梗塞に対して、体外からの電磁波を用いる電気刺激装置、本人の記憶内容を最大限、予め入力した電子脳、その他の電子装置等を用いて地療、人脳機能代替等を実行する。
【発明の効果】
【０００５】
本発明を実施すれば、拡張型心筋症、動脈瘤等による心蔵や血管の拡張を、メスを入れる事なく縮小させる事ができ、併発した脳梗塞等に対して、対処する事もできる心臓疾患治療システムが得られる。
【発明を実施するための最良の形態】
【０００６】
図１は、本発明を実施した心臓疾患治療システムの縦断面図。
１は、拡張した心臓を適切な大きさに縮小させるためのサイズを持つ、上口は開いた脳状の、可撓性のあるウレタンゴム膜、その他の合成樹脂膜、合成繊維製布や、編み物（ニット）に、軟質ウレタンゴム・シリコーンゴムその他を含浸させる等して造られた、最高血圧程度では一定の大きさより、あまり拡張しないが、柔軟で、任意に変形しうる、低伸展性外部被覆嚢。
２〜４は、その上端に各一端を取り付けた合成繊維布・糸・ゴム紐等から成る上口閉鎖紐。（実際にはもっと多数設ける。）
５は、外部被覆嚢１の内方にあり、上端は、外部被覆嚢の内面に取り付けられた、外部被覆嚢１と同様の材料から成る、可撓性内部被覆嚢。
６は、被覆嚢１と５の間の気密空洞。
７は、一端が被覆嚢１につながり、他端がポンプ８につながる、全長１．５ｍ程度の通気管。
８は、最大２００ml程度の空気や水等の流体を出し入れしうるポンプ。
９は、そのピストン。
１０は、電気モーター等から成るピストン駆動装置。
１１は、外部被覆嚢の上縁に取り付けた小さな電子回路ボックス。
【０００７】
次にこの使用法や動作を説明する。
手術を要する拡張型心筋症の患者の胸部のレントゲン撮影を行ない、心蔵の大きさを調べておき、身長や帯重等から、どの程度の大きさに心臓を縮小させるのがよいかを検討し、工場で生産されている外部被覆嚢等の種々のサイズの製品の中から、適当な大きさのものを選ぶ。
開胸して、心臓自体や、それにつながる大動脈等の血管にはメスを入れず、心臓を囲む心嚢が周囲の胸膜等に癒着している場合には、それをはがし、上口から、外部・内部の被覆嚢を、心臓下端の心尖から、はめ込む。（心内膜や心臓弁が部分的に傷んでいる場合には、その部分の切除や、人工弁置換術を行なう事もある。）
心臓の上方には、大動脈のほか、多数の太い血管がつながっており、それら血管の間を通して、上口閉鎖紐の相対する適当なもの二本ずつを選び、両者を結ぶか、糸で縫いつけ、外部・内部の被覆嚢が下方に離脱しないようにする。（細い紐を多数取り付けている場合には、数本を束ねたもの同しで結んでもよい。）
【０００８】
通気管７を胸壁または、腹壁を通して体外に導き、管の体外端をポンプ８につなぐ。
手術の傷口を閉じる前に、心臓の自己収縮・弛緩の運動状態を観察し、良好であれば、ポンプ８は駆動せず、収縮力が不足しておれば、ピストン駆動装置１０を働かせてピストン９を動かし、通気管７を通じて、空気または水を空洞６に出し入れする。
その際、図示しない弁を開き、まず、ポンプ８のシリンダー内に、空気または水を０〜２００ml程度のうちの適量を選んで入れ、弁を閉じ、駆動装置１０の電源をオンにし、ピストン９を往復運動させる。
この往復距離は、図示しない制御装置により、任意に設定できる。
電子回路ボックス１１は、真臓内の洞房結節等から発生するペースメーカー電位により心房筋が収縮して生じる活動電流を捕え、増幅器等を介して、図示しない通気管７内の電線を介するか、ボックス１１内の電波発信機から電波に乗せて送信し、駆動装置１０の制御用コンピューターに入力し、それに同期してピストン９を押し上げたり、引き下げたりする事を反復し、もし、この活動電流発生が消失した場合には、自動的にほぼ同様の周期で、ピストン駆動を続けるように働かせる。
なお、水より空気を用いる方が、弾力性があり、熱容量も小さい点で優れている。
外部・内部の被覆嚢共に、ある程度の弾性を持つが、ポンプ８の付近に、通気管に連なる１０００ml以下のバッファーとしての空気室を設けてもよい。
日数をかけてしだいに心臓を縮小させたい場合には、初期には空洞６内に少量の流体を入れ、心臓運動に伴って、その量を増減させる。日時の経過と共に、空洞に入れる流体の量を増加するようにする。
【０００９】
空洞６の内圧を測定するセンサーを設け、内圧が高くなりすぎないように、駆動装置１０の入力電流を制御してもよい。
内部被覆嚢５の下端内面に心室筋の活動電流を電波等に変換するセンサーを設け、その値もコンピューターに加え、駆動装置１０の制御に用いてもよい。
内部被覆嚢５にストレインゲージを張り付けたり、通気管７の内圧変化を測定するセンサーを設ける等して、心臓の活動状態（拍出量等）を測定し、ピストン９の駆動範囲を制御してもよい。
外部被覆嚢１の上端の下方１cm程度の外面を一周する上下幅数ｍｍの細長い袋を取り付け、その中に長い紐を入れ、その紐を適度にしめて結び、外部嚢の上部を適度の太さにしぼりうるようにしてもよい。
外部・内部被覆嚢の外面・内面を、超軟質のシリコーンゴム・ウレタンゴム・その他の樹脂で被覆し、接触する組織を傷つけないようにしてもよい。
外部被覆嚢１の下端に内部に数本の電線を入れた牽引用の管を取り付け、通気管７と共に体外に出し、術後数カ月を経て、心臓自体が縮小した場合には、電線を通じて順次通電し、各上口閉鎖紐の一箇所に設けた低融点部分や、電気化学反応により溶解する部分を溶かし、紐を切断し、ついで、通気管と共に牽引管を引っ張り、被覆嚢１と５、紐２〜４等を体外に引き出してもよい。（必要に応じて、体壁の通過路をメスで広げてもよい。）
牽引管中に多数の合成繊維糸を入れ、手術時、牽引管の体内端から出した多数の糸を縫い針に通し、上口閉鎖紐の代わりに、外部被覆嚢の上端に設けた縫い代に通して、上口を閉鎖し、多数の糸の長い端をまとめて別の補助管に通し、体外に引き出し、適期に、まず、補助管を引き抜き、露出した糸の体外部を切断し、ついで、牽引管と通気管を引けば、外部被覆嚢等が取り出されるようにしてもよい。
これらを体内で数カ月で溶解してしまう、適度にホルマール化したポリビニールアルコール、フィブロインその他の材料で造ってもよい。
内部被覆嚢５を２区画以上に分け、それぞれに通気管を設けてもよい。
【００１０】
始めから、心臓を縮小させるのみでよいと明確に診断された場合には、内部被覆嚢５、通気管６、ポンプ８等を省略し、外部被覆嚢１と、上口閉鎖紐２〜４のみから成るものを用い、本発明を実施してもよい。
心臓をしだいに縮小させたい場合には、通気管の体外端にバルブを設け、時々生理的食塩水をバルブを開いて空洞６内に注入すればよい。
そのバルブを端の閉じたゴム管製等にし、胸部の皮下に埋め込み、水を注射針を通じてその中に注入してもよい。
【００１１】
図２は、２枚のシートを縫い合わせて成る拡張心臓縮小用被覆嚢の平面図。
１２は、ポリエステル・ポリウレタン・その他の合成繊維の糸等から成る編み物・布、それらにシリコーンゴムやウレタンゴムを塗った物その他から成るシートを２枚重ねて縫い合わせた心臓縮小嚢。
１３は、その縫い糸の糸目。
心臓の大きさを縮小させるのみでよい場合、このようなシート２枚を重ね、適当な大きさにミシン糸で縫い目１３を造り、その周囲を切り落とし、嚢１２を造る。
その上縁に更に多数の上口閉鎖紐を縫いつけるか、充分長く取った上部の余白部分を切り裂いて多数の紐を形成させる。
図１に示した例と同様、心臓の下方から被覆嚢１２の上口を開いてはめ込み、上に付けた多数の紐を結ぶか縫い合わせて上口を閉じる。
【００１２】
種々の太さの、ストッキングのような編み物（適度に加熱したり、接着剤を用いたりして、編み糸の交差点は接合しておく）や、布製の管を造っておき、患者に合わせて適当な太さのものを選び、適当な長さに切り、下端を半円形に縫い、上端を切り裂いて多数の紐を形成させたり、紐を縫いつけたりして用いてもよい。
裁断の際に判りやすくするため、１cmピッチの目盛線をプリントしたり、織り込んだりしておいてもよい。
大きな伸縮性を与えるため、数mmピッチで、ジグザグ状に折り曲げたバネ用金属線を、多数の縦線と横線から成る格子を形成するよう、シート１２中に縫い込んだり、埋め込んだりしてもよい。
【００１３】
図２に示すものを動脈瘤の地療に用いる場合には、２枚のシートを重ね、動脈瘤を含む血管の経路にそう２本のほぼ平行な糸目を想定し、そのうちの一つだけを予め縫い合わせ、それより外の不要部分は切り落とす。
開胸や開服した際、動脈瘤の周囲に、動脈瘤を縮小させた状態になるようかぶせ、想定した残りの糸目を縫い合わせる。
血管では周囲から、毛細血管が侵入してくるので、それらが通過しうるように、目の粗い編み物や、布を用いる必要がある。
もちろん静脈瘤に用いてもよい。
幅数cmの弾性包帯状の布テープを動脈瘤周囲にゲートル状に巻き付け、動脈瘤を縮小させ、包帯がほどけないように、所々、接着剤・フィブリノーゲン・縫い糸等で固定する事を併用してもよい。（フィブリノーゲンを予め含浸させた布テープを用いてもよい。血液中のトロンビンで自然固化させてもよいし、トロンビンを含む液を滴下してもよい。）
【００１４】
拡張型心筋症では、左心室内に血栓を生じ、それが、はがれて脳動脈に流れ、脳塞栓・脳梗塞等を高頻度で起こす事は周知の通りである。
術後、対策をとったとしても、一旦心内膜面に血栓形成が起こると、その非正常な膜面を残したまま、心室の縮小を図っても、同部に血栓形成を起こす可能性は大きく、脳梗塞にいたる可能性も残る。
脳梗塞を起こしたこれらの患者の脳や、心筋に、小焦点の脈流通電を行ない、皮膚を通じて全身の神経や筋に通常、行なわれる一般療法としての低周波電気療法のような治療効果を得る装置を次に示す。
【００１５】
図３は、人体内刺激用電磁波発生装置の平面図。
１４は、レーザーパルス発生器。
１５は、凹レンズ。
１６は、直径１０cm程度の凸レンズ。
１７は、その平面に、付着した厚さ１μm程度の、セレン・酸化セレンその他の半導体の、光を受ければ絶縁体から、導伝体に変わる光伝導体層で、図示しないが、そのレンズ側面には、渦巻き状の黒色遮光薄層が存在する。
１８は、それに付着している渦巻き状の金属ベルト。
１９は、その内面に付着した黒色のプラスチック膜から成る絶縁体ベルト。
２０は、その内面に付着した１８と同様の金属ベルト。
２１は、その内面に付着した透明プラスチックから成る絶縁体ベルト。
２２は、４５度に傾けた金属製凹面反射鏡。
この１８〜２１の４ベルトは、厚さ１〜５０μm程度、横幅０．５〜１mm程度で、接着剤を付けて重ね、渦巻き状に巻き上げ、乾燥後、両平面を平坦に磨き、その左面に、スパッタリング・蒸着等により、酸化セレンその他の、通常は絶縁体であるが、光を受ければ伝導体化する物質の薄層から成る光伝導体層１７を形成させ、その左面に臭化銀等の感光層を付け、ベルト１８〜２１の一体化物の右面から強い光をあて、透明絶縁ベルト１９と、その左側の光伝体層の部分の左方の感光層のみに光を照射・感光させ、黒化させる。
ついで、これらを透明接着剤で、レンズ１６の右面に張り付ける等して造る。（レンズ面に黒色渦巻き層を形成させたり、黒色対応部分を、リソグラフィーの方法等により除去した光伝導体層を用いる等してもよい。
【００１６】
図示しない直流電源の１００ボルト程度の正電圧が金属ベルト１８に加わり、０ボルトが金属ベルト２０に加わり、両金属ベルトの表裏面には、コンデンサー作用により、電荷が蓄積される。
レーザーパルス発生器１４から、毎秒１０〜１００回程度、３兆分の１病程度のレーザーパルスが発生し、その光は、凹レンズ１５で円錐状に広げられ、凸レンズ１６の凸面に当たる。
円錐形の外部の光路は中心部の光路より長く、レンズ面に遅れて達するが、レンズ内を通過する際、空気とガラスの境界で屈折して平行光になり、かつ、ガラス内は屈折率が大きいので、中心の光は、ガラス内を長い距離、通るのに長い時間を要し、平坦な光伝導体層１７には、同時に達する。
このパルス光により、絶縁ベルト２１の右方の黒触遮光光層におおわれた以外の、光伝導体層１７の部分は、導体化し、金属ベルト１８から、絶縁ベルト１９に対応する光伝導体層１７を経て、電流が金属ベルト２０に流れる。
この電流により磁波が生じるが、金属ベルト１８内では電流は左向きに流れ、その近傍の２０内では右向きに流れ、両磁波は相殺されるが、金属ベルト１８から、黒色渦巻き形遮光層で遮光された以外の光伝導体層１７を経て、２０に流れる円盤の中心に向かう半径方向の電流は、相殺される事はなく、それによる磁波が生じる。
この磁波は、平行な金属板には、電磁誘導により、逆方向の起電力を生じる能力がある。
この磁波は、金属製凹面反射鏡に当たり、９０度屈折するが、凹面であるため、同類の電磁波である光と同様、焦点（例えば、直径１〜数mm程度）を結ぶ。
この磁波は、人体内にも入れる事ができ、焦点部では、光伝導体層１７と逆方向の起電力を神経細胞や、筋細胞に対しても生じさせ、レーザーパルス発生器１４の出力パルスに同期した１０ヘルツの急激に立ち上がる電流を生じ、それらの細胞の活生化を図る等の効果を持つ電気刺激を与える事になる。
なお、金属ベルト１８と２０は、絶縁ベルト１９の表裏面にメッキされた金属層であってもよい。
横幅が１ｍ程度ある金属ベルトや絶縁体ベルトを４枚重ねて円柱形に巻き上げ、それをスライスして、横幅の小さい一体化物を得てもよい。
光伝導体層１７を１８〜２１の一体化物の右面に設けてもよい。
絶縁ベルト１９を厚さ１０μmにし、絶縁ベルト２１を厚さ１００μmにした場合、光伝導体層１７を渦巻き状にしたり、黒色遮光層等を設けなくても、円盤の中心に向かう電流の受ける抵抗は、逆方向の場合の１０分の１になり、電流量も１０分の１になり、１０分の９が有効磁波を発生する。
突レンズ１６を省略し、凹面反射鏡２２の凹面に、接着剤を塗って巻き上げ、接着剤が未硬化のうちに、反射鏡の凹面に密着させ、硬化後、その凹面に光伝導体層１７を形成させてもよい。
この場合、凹面の後端（紙面の上方）に光が達し、その部での放電が起こり、前端に達する光によっては、０．７cm程度の光路差の光の伝達時間、遅れて前端部での放電が起こる等の、放電箇所の時間差が、いたる所で起こる事になるが、各部分からの素源磁波の合成波は、可視光と同様、焦点を結びうる。（従って、凸レンズ１６を省略する事は可能である。）
レーザーパルス発生器１４から出るレーザービームの方向を走査するか、反射鏡２２の向きを走査し、ビーム強度を制御し、映像を表現し、脳内の視覚中枢を電気刺激してもよい。
なお、「パターン認識システム」、特願２００１−２３３２８５（出願人、藤村明宏）には、２本の金属ベルトと、１本の光伝導体ベルト及び１本の絶縁ベルトとを重ねて、渦巻き状に巻き上げて、パルス光を照射する方式を記しているが、高価な光伝導体ベルトを多量に用いなければならない問題と、その横幅が長くなり、磁波の横幅も同様に長くなる問題があるが、ここに記すようにすれば、両問題が解決する。
【００１７】
重症の脳梗塞や心筋梗塞を起こし、回復不可能になった場合等、次のようなシステムを用いればよい。
図４は、人間の不死を実現するための人脳と電子脳を接続するシステムのブロック図。
２３は、人脳の解剖学的・生理学的な、ニューロン（神経細胞・脳細胞）の配線構造・電気的な機能等をもほうする事等により形成されたＬＳＩを用いた電子脳。
２４は、そのメイン情報入出力端子。
２５は、電子脳と人脳の接続情報とを、装置２６に出力する端子。
２６は、図３に示す人体内刺激用電磁波発生装置。
２７は、患者の頭皮に取り付けられる脳波計用の多数の電極。
２８は、脳波計。
２９は、その出力を電子脳２３に入力する端子。
なお、電子脳の作成の際、「脳の神経線維の配線構造の記録解析装置」、特許第２７９１７９４、特願平１−１１９１６１（出願人、藤村明宏）その他を用いて得たデータが利用しうる。
【００１８】
出願人は、人間を永遠に、かつ幸福に生存させる方法として、ＬＳＩ等から成る電子脳に人脳の内容をコピーする事を以前より提唱しており、その接続装置として、「脳とコンピューターの情報交換システム」平成３年特許願第２７３１８９号中に、次のような技術を記している。
赤血球より小さい直径５μm程度のＬＳＩから成る接続用素子を、赤血球の個数の５００分の１（全血液中に５００億）程度注射し、各時点における各素子の位置と、周囲の脳細胞の出す活動電流（インパルス）の電圧値・電位方向等を電波に乗せて、近くに置いた中継コンピューターを介して電子脳に送信し、逆に、電子脳からの情報を中継コンピューターと、アドレスを指定した接続素子を介して、脳細胞に伝え、両者の一体化を図り、人体及び人脳が死亡した後は、快感や喜び等の幸福感情発生中枢を常に働かせた電子脳人として、永遠に生存させる。
（この技術は、他人の脳と、電磁波を介して直接情報交換をする「テレパシー」の実現をも可能にする。）
【００１９】
しかし、このシステムでは、このようなＤＮＡなみにコンパクトで、高性能の接続素子を多数製造しなければならず、現段階のＬＳＩ製造技術では実現できない。
そこで、次のようにする。
【００２０】
以前の方法では、生まれたての赤子のように、記憶内容等が白紙の電子脳を造り、人脳から、接続素子を介して多量の人格情報（精神情報）を電子脳に送信し、成人の左脳（左大脳半球）と右脳（右大脳半球）が別ものでありながら、脳梁等の神経線維で連絡し、一人格に統合されているように（あるいは、脳内の多数の中枢が神経線維の連絡により、一人格を生じるように）、人脳と電子脳を統合しようとした。
しかし、睡眠・麻酔・人事不省からさめかかった時等では、左脳も右脳もその機能は、非常にわずかしか働いていない。
おそらく、脳梁等を流れるインパルスは、ごく少量で、ごく単純な情報しか交換されていないであろう。
それでも、左脳と右脳は統合されており、一人格を形成している。
【００２１】
それならば、人脳と電子脳を最少限の情報交換で接続しても、両者は、一応、統合された事になる。
また、このような接続マシンを多量に用いて、長期間人脳の記憶内容等をコピーしたとして、それと同様の内容は、そのようなマシンを用いなくても、サポート用コンピューターを大基模に駆使する等すれば、作成可能なものではある。
【００２２】
人脳と電子脳の統合に先だって、電子脳２３には、工場等で多量生産される電子脳に、予め、回路上で、あるいは、ソフトウエアを用いて、成人の日本人が、ほぼ共通に持っている知識・行動能力・言語能力・思考能力・判断能力・感情機能・その他を与えておき、（特願２００１−２３３２８５では、人脳から、かなり長い時間を要して、白紙の電子脳に知識内容等をコピーしていたものを、短時間に修正して完成品化しうる半既成品として造る）人格模倣性や、自己改革能力、知識・種々の運動記憶・行動パターン記憶・その他の取捨選択能力等も強力に与えておき、その製品の一つを購入した人が、電子脳と対話したり、電子脳に府続の感覚器で、購入者の行動や言葉を見聞し、積極的に自己改革を行ない（人間関係において、畏敬する人に、追従者の言動や思考パターンが類似してゆく場合よりも強力に）、自己改革を推進する。
近親者でも、両者の言動が区別できないほどに類似するようにする。（電子脳には手足のような運動系は設けないが、モニターには、姿や声が現われるようにする。テレビカメラ・マイクロホン等の感覚器も設ける。左・右の脳の機能が異なるように、電子脳と人脳の内容が多少異なっていてもよい。同一人でも、幼少期・成人期・老年期の脳の内容はかなり異なっている。電子脳の内容を良く改編する事は、いつでも容易に、大規模に行ないうる。
モーターその他を用いた運動系を設ければ、通常の人類社会を狭め、圧迫するので、コンピューター内のバーチャル空間で行動するようにする。）
【００２３】
そのように人脳と電子脳の内容が、ほぼ同様になっても、なおその人と電子脳人とは、一卵性双生児のように、きわめてよく似た別人格者である。
そこで、拡張心筋症で治癒せず、数分〜数１０日後には死亡しそうな人の頭皮に、従来の脳波計の電極２７を取り付け、脳波計２８内のコンピューター機能により、既にある程度行なわれているように、感情に伴う脳波や、意志に伴う脳波をコンピューター操作も加えて分離し、入力端子２９を介してそれらの情報をインパルス化して、リアルタイムで電子脳２３に入力する。
また、電子脳からは、それが傷つけられれば「失行症」、「失語症」になるような身体を動かす種々の中枢、言語中枢、その他の中枢を活性化する電気刺激である意志情報や、喜びの感情を誘起する感情中枢への電気刺激、その他の中枢への電気刺激を人脳に与えるため、入力端子２５を通じて、人体刺激用電磁波発生装置２６の凹面反射鏡２２の方向や位置を制御する情報を、図示しない反射鏡駆動モーターの制御回路や、パルス発生制御情報をレーザーパルス発生器１４の制御回路に、出力端子２５を介して送信する。
そして、光伝導体層１７に生じた磁波が、金属凹面反射鏡２２を経て、人脳内の任意の箇所に焦点を結び、その部が電気刺激される。（一般に適度の電気刺激は、機能を活性化し、限度を越えると、麻痺作用を持たらし、更に強い場合には、絵師させる事は、周知の通りである。）
【００２４】
その結果、電子脳２３と人脳とは、互いに簡単ながら、異志情報や、感情情報を交換し、一体化する事になる。
人の左脳、または右脳が壊死しても、人はりっぱに生存しうるが、やがて、その人が死亡しても、その人の一部と化した電子脳がある限り、その人は生存する事ができる。
多くのスペアを造り、分散して保存しておけば、ほぼ永遠に生存する事が可能になる。
事故死にも対処しようとすれば、健康な時に人格を電子脳にコピーし、冬眠状態にしておき、死後に覚醒させればよい。
人間の幸福は、けっきょく、不皇感情がなく、幸副感情が常に存在する事であるので、そのように電子脳を造っておけば、永遠に、かつ、幸福に生存できる事になる。
電子脳から人脳への入力手段の一つとして、端純な幾何学模様・全視野を一色にした模様等を眼に与える液晶ゴーグルや、単純な反復言語・一定音等を発生する装置、手足の特定筋肉に通電し、その運動感覚受容器である筋紡錘を刺激する装置等、刺激内容を明確に判定・再現しうる刺激装置を用いて、単純な感覚刺激を患者の感覚器官に加え、誘発脳波を発生させ、電子脳に入力するようにしてもよい。（人脳と、電子脳に生じる感覚・意識内容を容易に、ほぼ同じにしうる。）
必要によっては、直径０．５mm以下の細径ドリルで頭皮や骨を貫く孔を数本以上、開け、針状電極を刺し、直接導出した脳波を誘導したり、電子脳の出力を脳に加えるようにしてもよい。
脳内の一部の中枢の血流の増加からその中枢の活性状態を知るＰＥＴ・ＭＲＩ・赤外線トモグラフィー等のデータも、その栄養血管の血管運動神経のインパルスの繁栄でもあるので、そのような測定装置の測定結果を、リアルタイムで電子脳２３に入力するようにしてもよい。
【００２５】
心臓の洞房結節その他の視激伝導系の機能が停止した場合、電子回路ボックスを経て、体外から電気パルス刺激を加えてもよいが、反射鏡２２を制御して、心臓内に磁波の焦点を持ってきて、心筋を電気刺激する等の用い方もできる。
【００２６】
次の装置は、拡張型心筋症で、心臓内に生じた血栓が脳に流れつき、痴呆になり、徘徊者となった場合等のリハビリテーション過程等で用いる。
図５は、危険箇所徘徊規制装置の正面図。
３０は、ペンダント型危険箇所徘徊規制装置本体。
３１は、その首かけ紐。
３２は、本体の正面に設けた不快音発生用スピーカー。
３３〜３４は、紐の左右に取り付けた不快音発生用スピーカー。
３５は、管理室等に置く制御装置。
３６は、その光学ディスプレー。
３７は、それに表示された許容範囲（安全範囲）。
３８は、デジタイザー等から成る許容範囲入力装置。
【００２７】
徘徊可能者（使用者）は、本体３０を首にかけて歩く。その中には、ＧＰＳ等の自動現在位置測定装置や、方位センサーが入っており、使用者がどこにおり、どちらを向いているかが測定され、電波で、制御装置３５に送信され、ディスプレー３６上にその位置と方向が矢印等で表示される。
使用者が、予め登録している行動しても安全な許容範囲の外に出かかると、制御装置３５内のコンピューターは、危険な側のスピーカー３２〜３４の、いずれかから不快音を自動的に発生させる電波信号を送信する。
その音を聞いた使用者は、その音から遠ざかる方向に体を反射的に動かし、許容範囲から出なくなる。
また、鏡界線を遠く離れてしまった所にいる場合、各スピーカーがなり続けるが、安全な方向に向けば、音が弱まるようにする。
【００２８】
各スピーカーから不快音を出すと同時に、その付近に設けたバイブレーターから振動が生じるようにしてもよい。
本体３０の機能を携帯電話機に併設してもよい。
制御装置３５中にもそれ自体の自動現在位置測定装置を組み込み、本体３０と交信しがたい位置にいたると、警告表示をするようにしてもよい。
この装置を放牧した家畜の左右の角に取り付けたり、耳の近くの皮膚に張り付けたりし、放牧範囲外へ出かかると、不快音等が生じるようにしてもよい。
この場合、音や振動のほか、皮膚に強い電流が流れるようにしてもよい。
これらの不快刺激は、動物の額・左耳・右耳の付近、その他に加えればよい。
前方の刺激装置は省略し、境界線に直角に近ずけば、左右同時刺激が加わるようにしてもよい。
【００２９】
反射鏡２２を動かして、脳を刺激する際、脳の形には個人差があり、中枢の位置を容易には特定しがたいが、次の装置を用いて病床で頭部の外形の型取りをすれば、ＣＴやＭＲＩ等を用いるより、通常の病室のベッド上等で、簡易にできる。
図６は、等部の外形の型取り装置の縦断側面図。図７は、その正面図。
３９〜４０は、ポリ袋を形成する表裏のプラスチックフィルム。
４１は、袋に内蔵された水。
４２は、その下方に内蔵された石膏。
４３は、その下方の流通管。
４４は、その中に取り付けたゴム風船。
４５〜４６は、水の下方の指かけ突起。
４７〜４８は、石膏の下方の指かけ突起。
なお、水４１と、石膏の重量比は、療質の硬化物が得られる値に設定される。
【００３０】
ベッドの側に点滴用の支持台等を立て、ふぃるむ３９〜４０の上方をそれにつるし、ゴム風船４４を患者の頭部の付近に配置し、指かけ突起４５と４６に左右の手の指をかけ、フィルム３９と４０の接合を剥離すると、水４１が石膏４２に達し、両者が混合する。袋上からよくもんで両者を混練する。
ついで、指かけ突起４７と４８に指をかけ、フィルム３９と４０をはがすと、その混合物は、ゴム風船４４内に入り、患者の頭部の周囲に広がる。（調理用のボウル等で風船が自由に広がるのを防ぐとよい。）
間もなく、石膏は硬化し、頭部の型が得られる。
必要なら、その中に水を加えた石膏を流し込み、雄型を得てもよい。
このようにすれば、手を全くよごす事なく、頭部の型取りが実行できる。
頭部以外の型取りに用いる事もできる。
ゴム風船４４と、指かけ突起４７〜４８を省略し、指かけ突起４５の周囲のフィルム３９の表面にウレタンフォーム膜を張り付ける等し、水と石膏を混合した後に、ウレタンフォーム面を頭部等に押しあて型取りするようにしてもよい。
速乾性のセメントと砂や小石の混合物を石膏４２の代わりに封入し、水４１に硬化速進剤を加え、コンクリートをポリ袋内に形成させてもよい。  ゴム風船を用いず、流通管４３を通じて出てくる混合物を流出させ、種々の用途に用いてもよい。
【００３１】
上記では、非侵襲的に脳波を採るため、頭皮面に従来の脳波計の電極を張り付ける方法を記したが、非侵襲的に脳内のインパルスを採るのに、ＳＱＵＩＤ磁束計を用いてもよい。
従来、ＳＱＵＩＤ磁束計を用いる敷設は、分厚いパーマロイその他の軟質強磁性体で囲んだ高価な電磁気遮蔽室を必要とした。
図８は、安価な電磁気遮蔽材の一部拡大縦断面図。
４９〜５０は、厚さ０．２mm程度のステンレス鋼板
５１〜５３は、その間の同じ厚さの珪素鋼板。
５４〜５５は、基準位格子状接着剤層。（耐熱性接着剤を用いてもよい。）
５６〜５７は、偏在位格子状接着剤層。
なお、各鋼板や格子状接着剤層の枚数・サイズ・構造等を任囲に変更しうる。
【００３２】
電気遮蔽は、金属板１枚で充分であるが、磁気遮蔽は、分厚いパーマロイ板、珪素鋼板等で囲まなければならなかったが、上記のような構造の遮蔽板を通常の室内の壁面に内張りする等して用いれば、その金属の使用量をずっと少くしうる。
貼り付け  鋼板４９及び鋼板５１〜５３と、その直下の、比透磁率が、ほぼ１である接着剤と空気から成る格子状接着剤層５４〜５７の各セットは、それぞれ、鋼板のみの場合より、磁気伝達能が低下する。
このセット数を更に増せば、その減衰率も更に増加する。
【００３３】
出願人は、これに関して、次のような実験を行なった。
大計り上に、上面が平坦な３５０ｇの軟鋼塊を乗せ、その上方に水平面の直径×高さが、２０×１５mm、重量１２ｇ、磁気方向が下向きのフェライト磁石を設け、その上端に、長さ１００mmのゴムヒモをつなぎ、その上端に鉛直に保持したウォームネジを設け、ウォームネジを徐々に引き上げながら、磁石が軟鋼塊から引き離される時点の力を測定した。
磁石と軟鋼塊を直接接触した場合、厚さ０．２mm、縦×横が２０×２０mmの軟鋼板を１枚、または２枚挿入した場合、それらの間に０．１mmの紙（比透磁率、ほぼ１）を０〜２枚挿入した場合等について各５回測定した。次表は、その各平均値である。
【００３４】
引き離し磁力の測定結果
仕様                                  引き離し磁力                            
１．磁石−鋼塊                              ２１７．２ｇ
２．磁石−鋼板−鋼塊                        １３９．２
３．磁石−鋼板−鋼板−鋼塊                  １０８．４
４．磁石−紙−鋼塊                          １９０．０
５．磁石−紙−紙−鋼塊                      １５９．２
６．磁石−鋼板−紙−鋼塊                    １２０．８
７．磁石−鋼板−紙−紙−鋼塊                １０６．０
８．磁石−鋼板−紙−鋼板−紙−鋼塊            ６７．２
９．磁石−鋼板−紙−紙−鋼板−紙−紙−鋼塊    ５７．６
【００３５】
上表において、磁石と鋼塊の間に介在する鋼板や紙の厚みが増せば、引き離し磁力が小さくなる。すなわち、磁気の減衰効果が大きくなる。
２．と５．では、ほぼ同じ厚さの鋼板と紙が入っているが、鋼板の方が減衰効果は大きい。（紙の存在も、減衰作用は示す。）
３．は０．４mm厚の鋼板の存在のみであるが、８．のように、鋼板を２分し、各鋼板の下に０．１mmの紙を入れれば、ずっと減衰効果が増し、紙の厚さを０．２mmにすれば更に減衰効果は増加する。
例えば、鋼板４９、５１、５２、５３の各１枚が、総て、下向きの磁気を０．９に弱める能力があるとし、接着剤層を除去し、それらが密着して鋼板５０に伝達する磁気の原衰率は、０．９の４乗、すなわち、０．６５６１になる。
図示のように、各鋼板の下に格子状接着剤層が存在し、鋼板と接着剤層の合成減衰率が０．８であるとすれば、総合減衰率は、０．４０９６になる。
【００３６】
各鋼板間に両面に接着剤を塗ったプラスチック板・ベニア板等の安価な遮蔽層を設け、それらのセットを１０枚以上重層してもよいが、上記のようにすれば、介在格子接着剤層のコストは安価であり、断熱効果も優れる。
すなわち、鋼板４９に加わった熱は、基準位格子状接着剤層５４の空気部分は、ほとんど通過せず、主として、接着剤の小面積部分を伝導し、薄い鋼板５１を査右に伝わり、偏在位接格子状着剤層の接着剤部分を通り、左右に広がり、鋼板５２に達する等、長い距離を伝導するので、熱伝導能は小さくなる。
格子状接着剤層は、前後に平行な線形でもよいが、網状である場合には、網目が１ｍｍ角であれば、各偏在位接着剤層５６、５７は、基準位格子状接着剤層より、０．５ｍｍ左にずらし、更に前に０．５ｍｍずらす等の偏在位を取らせる。
なお、これらは、磁気遮蔽、断熱作用のほか、遮音効果も持つ。
【００３７】
鋼版４９〜５３に、１mm角に一箇所、直径０．３mm、深さ０．１mm程度の下向きのくぼみを付け、上下に接するくぼみの位置は、ずらせ、各くぼみの下面に接着剤を付けて鋼板間を接着してもよい。（スポット溶接で融着してもよい。）
鋼板４９〜５３間に格子状接着剤層５４〜５７が付いた一体化物を作成するため、鋼板の表面に、熱硬化性接着剤を格子状にプリントし、それらを積層し、加熱する等すればよい。
コストは、やや高価にはなるが、各鋼板の表裏面全体に接着剤を塗り、厚さ０．１〜数mm程度のダンボール・不織布・発泡樹脂等を積層し、一体化し、電磁気遮蔽体を得てもよい。
接着剤を付けた合成繊維製や、ガラス繊維製の網や平行線格子を鋼板間に入れ、加熱して硬化させてもよい。
【００３８】
特定の脳内の中枢を刺激する際等、図３に示すような装置を用いてもよいが、次のようにして脳内特定中枢を機械的に高周波振動させ、脳細胞や、その中のミトコンドリア、その他の細胞小器官を共鳴的に振動させ、機能の活性化を図ってもよい。
図９は、人体刺激用高周波重力波スポット照射装置の縦断面図。
５８は、分厚い金属の表面を、図８に記す電磁気遮蔽板で被覆する等した円筒形の真空容器。
５９は、その上面に取り付けた、電磁波受信機や超音波発生器を内蔵した指令情報発生装置。
６０は、容器内の鉛、１８−８ステンレス鋼、金、タングステン、その他の常磁性高比重材料から成る、直径数cm〜数１０cm程度の分厚い皿形の重量体。
６１は、その下面の球面（放物面等でもよい）に張り付けたＰＺＴその他の圧電体層。
６２は、その下面に張り付けた厚さ０．１〜１mm程度の重量体６０と同様の材料から成る球面高周波重力波発生層。
６３は、重量体６０の上に取り付けた電源電池内蔵の高周波電圧発振装置
６４〜６５は、化学繊維等から成る真空容器壁と、発振装置とをつなぐ懸垂糸。
【００３９】
適当な支持装置で、ベッド上に寝ている患者の頭上数１０cmに、真空容器５８の底面を位置させ、押しボタンスイッチの手動作によるパルスや、図４の電子脳２３の出力端子２５からのインパルス等の変調電磁波を受け、指令情報発生装置５９は、それを超音波に変換し、真空容器を伝搬し、懸垂糸６４〜６５を経て、高周波電圧発振装置６３に達し、該装置は、数１００Ｖ、数MHz〜１０GHz程度の高周波電圧を発生し、図示しない導電線を経て、重量体６０と、重力波発生層６２に印加する。
圧電体層６２は一定の周波数で、厚み方向に伸縮する。
その結果、重い重量体６０は、ごく小さな振幅の上下振動を起こして、上方にも、下方にも、円錐形の重力波を発生する。
球面高周波重力波発生層６２は、軽量であるため、大きな振幅で球面振動し、その上下方向に円錐形の球面高周波重力波を発生する。
重力波は物質透過性が大きいので、容器５８、患者の皮賦、骨、その他を透過し、目標にした脳内の小範囲に焦点を結び、その部の脳細胞・組織・や細胞内の格・ミトコンドリア・その他の細胞小器官を振動させて、機能を活性化させる。
その際、重力波の周波数に共鳴しやすいものが、特に大きく振動する。
【００４０】
振動時の各微小時間における、重量体６０の質量Ｍ60と、その速度Ｖ60の積である運動量と、重力波発生層６２の質量Ｍ62と、速度Ｖ62の積の運動量とは次式のように等しくなる。
Ｍ60×Ｖ60＝Ｍ62×Ｖ62
しかし、前者のエネルギーＥ60と、後者のエネルギーＥ62とは、次式のような関係になる。
Ｅ60＝１／２×Ｍ60×Ｖ60×（Ｖ60）
Ｅ62＝１／２×Ｍ62×Ｖ62×（Ｖ62）
両式の（‥‥‥）以前の値は等しいが、（‥‥‥）内の値は、後者の方が大きいので、エネルギーＥ62の方が大きくなり、かつ、焦点を結ぶため、脳内の刺激作用は、主として、重力波発生層６２からのものにより行なわれる。
【００４１】
重力波のスポットが、血管内壁に形成された血栓にくるようにし、その溶壊を促進する、その他の用途に用いてもよい。
重量体６０の上面は、平面、その他でもよい。
真空容器を用いると、空気を振動させる事による超音波発生がなくなり、エネルギー損失が小さいが、空気環境中に重力波発生層６２その他を置いてもよい。
指令情報発生装置５９と、高周波電圧発生装置６３とを一体化してもよい。
圧電体層６１は、厚み方向の伸縮に伴って、その下面の面積がやや大きくなったり小さくなったりする事になるが、それに適応しやすくするため、その下面に、厚さ１μm程度の白金・炭素・その他の蒸着膜等の非腐蝕薄膜メッキを行ない、その下面に１mm厚程度の金属メッキをほどこし、ホトレジストを塗り、網目模様の露光を行ない、腐食液で腐食させ、金属層を多数の小区画に分割してもよい。
重量体６０、圧電体層６１、重力波発生層６２を平面化し、面を垂直にして、懸垂糸６４〜６５でつり下げたものを２セット用意し、両セットを離れた所に置き、種々に変調した高周波電圧を印加して発生させた重力波を一方から送信し、他セットで受信し、通信に用いてもよい。
受信できれば、その空間伝達倍体は、超音波でも、電磁波でもない事が証明できる。
重力波発生層６２から出る重力波の焦点位置に、細長い円柱形重量体の一端面に平行に保持した微小径の円盤鏡を設け、鏡と重量体間の距離変化を静電容量変化や、レーザービームのかんしょう等から検出する高感度の検出器を設けて測定してもよい。
重力波発生層６２を耐久磁石製にすると、高周波磁波発生も同時に起こる事になる。（磁石の磁化方向は、半径方向でも、円周方向でもよい。）
図において、重力波発生層６２の上方には、拡散性の重力波が放射されるが、重力波を全方向に放射したい場合には、重力波発生層等を全球面にすればよい。
図の装置では、縦波を用いているが、平板状、または線状の重力波発生体を圧電体により振動させ、同一延長平面内に設けた受信用振動体の横波による振動を検出するようにしてもよい。
【図面の簡単な説明】
【００４２】
【図１】本発明を実施した心臓疾患治療システムの縦断面図。
【図２】２枚のシートを縫い合わせて成る拡張心臓縮小用被覆嚢の平面図。
【図３】人体内刺激用電磁波発生装置の平面図。
【図４】人間の不死を実現するための人脳と電子脳を接続するシステムのブロック図。
【図５】危険箇所徘徊規制装置の正面図。
【図６】等部の外形の型取り装置の縦断側面図。
【図７】その正面図。
【図８】安価な電磁気遮蔽材の一部拡大縦断面図。
【図９】人体刺激用高周波重力波スポット照射装置の縦断面図。
【符号の説明】
【００４３】
１  低伸展性外部被覆嚢。
２〜４  上口閉鎖紐。
５  内部被覆嚢。
６  被覆嚢１と５の間の気密空洞。
７  通気管。
８  ポンプ。
９  ピストン。
１０  ピストン駆動装置。
１１  電子回路ボックス。
１２  心臓縮小嚢。
１３  縫い糸の糸目。
１４  レーザーパルス発生器。
１５  凹レンズ。
１６  凸レンズ。
１７  光伝導体層。
１８  渦巻き状の金属ベルト。
１９  その内面に付着した黒色のプラスチック絶縁体ベルト。
２０  金属ベルト。
２１  透明絶縁体ベルト。
２２  金属製凹面反射鏡。
２３  ＬＳＩを用いた電子脳。
２４  メイン情報入出力端子。
２５  出力端子。
２６  図３に示す人体内刺激用電磁波発生装置。
２７  患者の頭皮に取り付けられる脳波計用の多数の電極。
２８  脳波計。
２９  入力端子。
３０  危険箇所徘徊規制装置本体。
３１  首かけ紐。
３２  スピーカー。
３３〜３４  スピーカー。
３５  制御装置。
３６  光学ディスプレー。
３７  許容範囲。
３８  許容範囲入力装置。
３９〜４０  プラスチックフィルム。
４１  水。
４２  石膏。
４３  流通管。
４４  ゴム風船。
４５〜４６  指かけ突起。
４７〜４８  指かけ突起。
４９〜５０  鋼板
５１〜５３  鋼板。
５４〜５５  格子状接着剤層。
５６〜５７  格子状接着剤層。
５８  真空容器。
５９  指令情報発生装置。
６０  重量体。
６１  圧電体層。
６２  球面高周波重力波発生層。
６３  高周波電圧発振装置
６４〜６５  懸垂糸。
【図１】
2005087597.tif 000003
【図２】
2005087597.tif 000004
【図３】
2005087597.tif 000005
【図４】
2005087597.tif 000006
【図５】
2005087597.tif 000007
【図６】
2005087597.tif 000008
【図７】
2005087597.tif 000009
【図８】
2005087597.tif 000010
【図９】
2005087597.tif 000011
【手続補正書】
【提出日】平成16年8月27日(2004.8.27)
【手続補正１】
【補正対象書類名】明細書
【補正対象項目名】００１６
【補正方法】変更
【補正の内容】
【００１６】
図示しない直流電源の１００ボルト程度の正電圧が金属ベルト１８に加わり、０ボルトが金属ベルト２０に加わり、両金属ベルトの表裏面には、コンデンサー作用により、電荷が蓄積される。
レーザーパルス発生器１４から、毎秒１０〜１００回程度、３兆分の１病程度のレーザーパルスが発生し、その光は、凹レンズ１５で円錐状に広げられ、凸レンズ１６の凸面に当たる。
円錐形の外部の光路は中心部の光路より長く、レンズ面に遅れて達するが、レンズ内を通過する際、空気とガラスの境界で屈折して平行光になり、かつ、ガラス内は屈折率が大きいので、中心の光は、ガラス内を長い距離、通るのに長い時間を要し、平坦な光伝導体層１７には、同時に達する。
このパルス光により、絶縁ベルト２１の右方の黒触遮光光層におおわれた以外の、光伝導体層１７の部分は、導体化し、金属ベルト１８から、絶縁ベルト１９に対応する光伝導体層１７を経て、電流が金属ベルト２０に流れる。
この電流により磁波が生じるが、金属ベルト１８内では電流は左向きに流れ、その近傍の２０内では右向きに流れ、両磁波は相殺されるが、金属ベルト１８から、黒色渦巻き形遮光層で遮光された以外の光伝導体層１７を経て、２０に流れる円盤の中心に向かう半径方向の電流は、相殺される事はなく、それによる磁波が生じる。
この磁波は、平行な金属板には、電磁誘導により、逆方向の起電力を生じる能力がある。
この磁波は、金属製凹面反射鏡に当たり、９０度屈折するが、凹面であるため、同類の電磁波である光と同様、焦点（例えば、直径１〜数mm程度）を結ぶ。
この磁波は、人体内にも入れる事ができ、焦点部では、光伝導体層１７と逆方向の起電力を神経細胞や、筋細胞に対しても生じさせ、レーザーパルス発生器１４の出力パルスに同期した１０ヘルツの急激に立ち上がる電流を生じ、それらの細胞の活生化を図る等の効果を持つ電気刺激を与える事になる。
なお、金属ベルト１８と２０は、絶縁ベルト１９の表裏面にメッキされた金属層であってもよい。
横幅が１ｍ程度ある金属ベルトや絶縁体ベルトを４枚重ねて円柱形に巻き上げ、それをスライスして、横幅の小さい一体化物を得てもよい。
光伝導体層１７を１８〜２１の一体化物の右面に設けてもよい。
絶縁ベルト１９を厚さ１０μmにし、絶縁ベルト２１を厚さ１００μmにした場合、光伝導体層１７を渦巻き状にしたり、黒色遮光層等を設けなくても、円盤の中心に向かう電流の受ける抵抗は、逆方向の場合の１０分の１になり、電流量も１０分の１になり、１０分の９が有効磁波を発生する。
この場合、光伝導体層１７を省略し、金属ベルト１８と２０間に放電を起こす寸前の高電圧を印加しておき、レーザーぱるすを照射すると、金属ベルト等の左方の空気がイオン化するが、幅の莢い金属ベルト間の空気の抵抗が小さいため、絶縁破壊が起こり、半径方向に電流が流れるようにしてもよい。（放電が起こる面の付近を円盤形透明容器で囲み、内部に不活性がす等を封入して、放電による金属ベルトの損耗を少なくしてもよい。この透明容器内面に、光を受ければ、多くの光電子を発生するアルカリ土類金属等の薄層を付け、気体のイオン化を促進してもよい。
突レンズ１６を省略し、凹面反射鏡２２の凹面に、接着剤を塗って巻き上げ、接着剤が未硬化のうちに、反射鏡の凹面に密着させ、硬化後、その凹面に光伝導体層１７を形成させてもよい。
この場合、凹面の後端（紙面の上方）に光が達し、その部での放電が起こり、前端に達する光によっては、０．７cm程度の光路差の光の伝達時間、遅れて前端部での放電が起こる等の、放電箇所の時間差が、いたる所で起こる事になるが、各部分からの素源磁波の合成波は、可視光と同様、焦点を結びうる。（従って、凸レンズ１６を省略する事は可能である。）
レーザーパルス発生器１４から出るレーザービームの方向を走査するか、反射鏡２２の向きを走査し、ビーム強度を制御し、映像を表現し、脳内の視覚中枢を電気刺激してもよい。
電波の焦点の位置を走査するため、レーザーパルス発生器１４や、反射鏡２２の位置や傾斜をサーボモーターで制御したり、光や電波の通路中に経路走査用の反射鏡を挿入し、その位置や傾斜を制御してもよい。
なお、「パターン認識システム」、特願２００１−２３３２８５（出願人、藤村明宏）には、２本の金属ベルトと、１本の光伝導体ベルト及び１本の絶縁ベルトとを重ねて、渦巻き状に巻き上げて、パルス光を照射する方式を記しているが、高価な光伝導体ベルトを多量に用いなければならない問題と、その横幅が長くなり、磁波の横幅も同様に長くなる問題があるが、ここに記すようにすれば、両問題が解決する。